(57)【要約】【課題】  アドホックネットワーク全体におけるスループットと移動端末同士の通信における遅延時間とのトレードオフの関係を考慮して、刻々と変化するトラフィック分布に対応した通信制御を行う。【解決手段】  本発明は、複数の移動端末ＭＴによって形成されているアドホックネットワークを制御するように構成されている制御装置１０に関する。本発明にかかる制御装置１０は、アドホックネットワークにおけるトラフィック分布に基づいて、アドホックネットワークに参加している所定の移動端末ＭＴの送信電力を決定するように構成されている送信電力決定部１６を具備する。【選択図】  図４
2006180139.tif 000002
【特許請求の範囲】
【請求項１】
複数の移動端末によって形成されているアドホックネットワークを制御するように構成されている制御装置であって、
前記アドホックネットワークにおけるトラフィック分布に基づいて、該アドホックネットワークに参加している所定の移動端末の送信電力を決定するように構成されている送信電力決定部を具備することを特徴とする制御装置。
【請求項２】
前記複数の移動端末の位置情報を取得するように構成されている位置情報取得部と、
前記トラフィック分布として、取得した前記複数の移動端末の位置情報を管理するように構成されているネットワーク管理情報記憶部とを具備することを特徴とする請求項１に記載の制御装置。
【請求項３】
前記複数の移動端末におけるトラフィック状況を取得するように構成されているトラフィック状況取得部と、
前記トラフィック分布として、取得した前記複数の移動端末におけるトラフィック状況を管理するように構成されているネットワーク管理情報記憶部とを具備することを特徴とする請求項１に記載の制御装置。
【請求項４】
前記複数の移動端末の能力を示す端末能力情報を取得するように構成されている端末能力情報取得部を具備し、
前記送信電力決定部は、前記トラフィック分布と前記端末能力情報とに基づいて、前記所定の移動端末の送信電力を決定するように構成されていることを特徴とする請求項１乃至３のいずれか一項に記載の制御装置。
【請求項５】
前記複数の移動端末において要求されている通信条件情報を取得するように構成されている通信条件情報取得部を具備し、
前記送信電力決定部は、前記トラフィック分布と前記通信条件情報とに基づいて、前記所定の移動端末の送信電力を決定するように構成されていることを特徴とする請求項１乃至４のいずれか一項に記載の制御装置。
【請求項６】
前記通信条件情報は、前記複数の移動端末において動作しているアプリケーションによって設定されている許容遅延時間及び要求伝送速度を含むことを特徴とする請求項５に記載の制御装置。
【請求項７】
前記送信電力決定部は、通信相手ごとに、前記所定の移動端末の送信電力を決定するように構成されていることを特徴とする請求項１乃至６のいずれか一項に記載の制御装置。
【請求項８】
前記複数の移動端末から、該移動端末における通信環境を示す通信環境情報を取得するように構成されている通信環境情報取得部と、
取得した前記通信環境情報が所定条件を満たす場合に、前記アドホックネットワークに属する代理移動端末に対して、前記制御装置の代わりに前記アドホックネットワークを制御するための代理制御情報を送信するように構成されている代理制御情報送信部とを具備することを特徴とする請求項１乃至７のいずれか一項に記載の制御装置。
【請求項９】
アドホックネットワークに参加可能に構成されている移動端末であって、
前記アドホックネットワークを制御する制御装置に対して、前記移動端末の位置情報及び該移動端末におけるトラフィック状況を送信するように構成されている送信部と、
前記位置情報及び前記トラフィック状況に基づいて前記制御装置によって決定された送信電力で、前記アドホックネットワーク内の通信を行うように構成されている通信部とを具備することを特徴とする移動端末。
【請求項１０】
複数の移動端末によって形成されているアドホックネットワークを制御する通信制御方法であって、
前記複数の移動端末が、前記アドホックネットワークを制御する制御装置に対して、前記移動端末の位置情報及び該移動端末におけるトラフィック状況を送信する工程と、
前記制御装置が、受信した前記位置情報及び前記トラフィック状況に基づいて、該アドホックネットワークに参加している所定の移動端末の送信電力を決定する工程と、
前記所定の移動端末が、決定された前記送信電力で、前記アドホックネットワーク内の通信を行う工程とを有することを特徴とする通信制御方法。
【発明の詳細な説明】
【技術分野】
【０００１】
本発明は、複数の移動端末によって形成されているアドホックネットワークを制御する通信制御方法、かかる通信制御方法で用いられる制御装置及び移動端末に関する。
【背景技術】
【０００２】
従来、ＩＥＥＥ８０２.１１ｘやＢｌｕｅｔｏｏｔｈ（登録商標）等の無線技術を用いて、多数の移動端末をアクセスポイントの介在なしに相互に接続する形態によって形成されるアドホックネットワークが知られている。かかるアドホックネットワークを形成する移動端末同士の通信は、複数の中継移動端末を介して、すなわち、マルチホップで行われるように構成されている。
【０００３】
そのため、かかるアドホックネットワークにおいて、送信元移動端末の送信電力を低減させた場合、他の移動端末の通信に対する干渉が減少するため、かかるアドホックネットワーク全体におけるスループットが向上するが、かかる移動端末同士の通信において経由する無線リンクの数（ホップ数）が増加するため、かかる移動端末同士の通信における遅延時間が増加する。
【０００４】
一方、送信元移動端末の送信電力を増加させた場合、かかる移動端末同士の通信において経由する無線リンクの数（ホップ数）が減るため、かかる移動端末同士の通信における遅延時間は低減するが、他の移動端末の通信に対する干渉が増加するため、かかるアドホックネットワーク全体におけるスループットが低下する。
【０００５】
このように、かかるアドホックネットワーク内では、アドホックネットワーク全体におけるスループットと、移動端末同士の通信における遅延時間との間には、トレードオフの関係がある。
【非特許文献１】Ｔ.Ｃｌａｕｓｅｎ及びＰ.Ｊａｃｑｕｅｔ著、Ｐｒｏｊｅｃｔ  Ｈｉｐｅｒｃｏｍ、「Ｏｐｔｉｍｉｚｅｄ  Ｌｉｎｋ  Ｓｔａｔｅ  Ｒｏｕｔｉｎｇ  Ｐｒｏｔｏｃｏｌ（ＯＬＳＲ）」、ＲＦＣ３６２６、インターネット＜ＵＲＬ：www.ietf.org/rfc/rfc3626.txt＞
【発明の開示】
【発明が解決しようとする課題】
【０００６】
しかしながら、従来のアドホックネットワークでは、移動端末の位置分布や、各移動端末におけるトラフィック状況（トラフィック量等）等に応じて、アドホックネットワークにおけるトラフィック分布が刻々と変化するにもかかわらず、アドホックネットワーク全体におけるスループットと移動端末同士の通信における遅延時間とのトレードオフの関係を考慮した通信制御を行うことができないという問題点があった。
【０００７】
そこで、本発明は、以上の点に鑑みてなされたもので、アドホックネットワーク全体におけるスループットと移動端末同士の通信における遅延時間とのトレードオフの関係を考慮して、刻々と変化するトラフィック分布に対応した通信制御を行うことができる通信制御方法、制御装置及び移動端末を提供することを目的とする。
【課題を解決するための手段】
【０００８】
本発明の第１の特徴は、複数の移動端末によって形成されているアドホックネットワークを制御するように構成されている制御装置であって、前記アドホックネットワークにおけるトラフィック分布に基づいて、該アドホックネットワークに参加している所定の移動端末の送信電力を決定するように構成されている送信電力決定部を具備することを要旨とする。
【０００９】
かかる発明によれば、アドホックネットワークにおいて刻々と変化するトラフィック分布に基づいて、アドホックネットワークに参加している所定の移動端末の送信電力を決定することによって、アドホックネットワーク全体におけるスループット及び移動端末同士の通信における遅延時間の双方において最適化な環境を実現することができる。
【００１０】
本発明の第１の特徴において、前記複数の移動端末の位置情報を取得するように構成されている位置情報取得部と、前記トラフィック分布として、取得した前記複数の移動端末の位置情報を管理するように構成されているネットワーク管理情報記憶部とを具備してもよい。
【００１１】
本発明の第１の特徴において、前記複数の移動端末におけるトラフィック状況を取得するように構成されているトラフィック状況取得部と、前記トラフィック分布として、取得した前記複数の移動端末におけるトラフィック状況を管理するように構成されているネットワーク管理情報記憶部とを具備してもよい。
【００１２】
かかる発明によれば、制御装置が、移動端末から位置情報及びトラヒック状況を取得することによって、移動端末の位置分布や各移動端末におけるトラフィック状況からなるトラフィック分布をリアルタイムに把握することができる。
【００１３】
本発明の第１の特徴において、前記複数の移動端末の能力を示す端末能力情報を取得するように構成されている端末能力情報取得部を具備し、前記送信電力決定部が、前記トラフィック分布と前記端末能力情報とに基づいて、前記所定の移動端末の送信電力を決定するように構成されていてもよい。
【００１４】
かかる発明によれば、制御装置は、各移動端末の能力に応じた送信電力を決定することができ、ハードウエアリソースや無線帯域リソース等を有効に利用することができる。
【００１５】
本発明の第１の特徴において、前記複数の移動端末において要求されている通信条件情報を取得するように構成されている通信条件情報取得部を具備し、前記送信電力決定部が、前記トラフィック分布と前記通信条件情報とに基づいて、前記所定の移動端末の送信電力を決定するように構成されていてもよい。
【００１６】
本発明の第１の特徴において、前記通信条件情報が、前記複数の移動端末において動作しているアプリケーションによって設定されている許容遅延時間及び要求伝送速度を含んでいてもよい。
【００１７】
本発明の第１の特徴において、前記送信電力決定部が、通信相手ごとに、前記所定の移動端末の送信電力を決定するように構成されていてもよい。
【００１８】
かかる発明によれば、アドホックネットワーク内のトラフィック分布を考慮しつつ、各移動端末において要求されている通信条件を満たすように各移動端末の送信電力を決定することができる。
【００１９】
本発明の第１の特徴において、前記複数の移動端末から、該移動端末における通信環境を示す通信環境情報を取得するように構成されている通信環境情報取得部と、取得した前記通信環境情報が所定条件を満たす場合に、前記アドホックネットワークに属する代理移動端末に対して、前記制御装置の代わりに前記アドホックネットワークを制御するための代理制御情報を送信するように構成されている代理制御情報送信部とを具備してもよい。
【００２０】
かかる発明によれば、制御装置とアドホックネットワークとの間の通信が切断されて、当該アドホックネットワークが孤立している場合であっても、代理移動端末が制御装置の機能を果たすため、途切れることなくアドホックネットワークにおける通信制御を行うことができる。
【００２１】
本発明の第２の特徴は、アドホックネットワークに参加可能に構成されている移動端末であって、前記アドホックネットワークを制御する制御装置に対して、前記移動端末の位置情報及び該移動端末におけるトラフィック状況を送信するように構成されている送信部と、前記位置情報及び前記トラフィック状況に基づいて前記制御装置によって決定された送信電力で、前記アドホックネットワーク内の通信を行うように構成されている通信部とを具備することを要旨とする。
【００２２】
本発明の第２の特徴において、複数の移動端末によって形成されているアドホックネットワークを制御する通信制御方法であって、前記複数の移動端末が、前記アドホックネットワークを制御する制御装置に対して、前記移動端末の位置情報及び該移動端末におけるトラフィック状況を送信する工程と、前記制御装置が、受信した前記位置情報及び前記トラフィック状況に基づいて、該アドホックネットワークに参加している所定の移動端末の送信電力を決定する工程と、前記所定の移動端末が、決定された前記送信電力で、前記アドホックネットワーク内の通信を行う工程とを有することを要旨とする。
【発明の効果】
【００２３】
以上説明したように、本発明によれば、アドホックネットワーク全体におけるスループットと移動端末同士の通信における遅延時間とのトレードオフの関係を考慮して、刻々と変化するトラフィック分布に対応した通信制御を行うことができる通信制御方法、制御装置及び移動端末を提供することができる。
【発明を実施するための最良の形態】
【００２４】
（本発明の第１の実施形態に係る移動通信システムの構成）
図１乃至図５を参照して、本発明の第１の実施形態に係る移動通信システムの構成について説明する。図１に示すように、本実施形態に係る移動通信システムは、アシスト制御装置１０と、複数の移動端末ＭＴ＃１１乃至ＭＴ＃２４とを具備している。
【００２５】
アシスト制御装置１０は、例えば、公衆移動通信ネットワーク等によって構成されるアシストネットワーク内に設けられている。また、複数の移動端末ＭＴ＃１１乃至＃２４は、公衆移動通信ネットワークを介することなく、互いに直接通信を行うことによって、アドホックネットワーク＃１及び＃２を形成するように構成されている。
【００２６】
図１の例では、移動端末ＭＴ＃１１乃至＃１４がアドホックネットワーク＃１を形成しており、移動端末ＭＴ＃２１乃至＃２４がアドホックネットワーク＃２を形成している。
【００２７】
本実施形態にかかるアシスト制御装置１０は、複数の移動端末ＭＴ＃１１乃至＃２４によって形成されているアドホックネットワーク＃１及び＃２を制御するように構成されている。例えば、アシスト制御装置１０は、アドホックネットワークに属する移動端末ＭＴの送信電力を制御するように構成されている。
【００２８】
具体的には、本実施形態にかかるアシスト制御装置１０は、図２に示すように、位置情報取得部１１と、通信条件情報取得部１２と、端末能力情報取得部１３と、トラフィック状況取得部１４と、ネットワーク管理情報記憶部１５と、送信電力決定部１６と、送信電力情報送信部１７とを具備している。
【００２９】
位置情報取得部１１は、複数の移動端末ＭＴ＃１１乃至＃２４の位置情報を取得するように構成されている。例えば、位置情報取得部１１は、所定タイミングで移動端末ＭＴ＃１１乃至＃２４に対して位置情報取得要求を送信することによって移動端末ＭＴ＃１１乃至＃２４の位置情報を取得するように構成されていてもよいし、移動端末ＭＴ＃１１乃至＃２４から所定タイミングで送信されてくる移動端末ＭＴ＃１１乃至＃２４の位置情報を取得するように構成されていてもよい。
【００３０】
例えば、かかる位置情報には、ＧＰＳによって提供される位置情報（ＧＰＳ情報）や、アクセスポイントに登録されている位置情報（アクセスポイント情報）や、無線基地局に登録されている位置情報（基地局情報）等が含まれ得る。
【００３１】
通信条件情報取得部１２は、複数の移動端末ＭＴ＃１１乃至＃２４において要求されている通信条件情報を取得するように構成されている。例えば、通信条件情報取得部１２は、移動端末ＭＴ＃１１乃至＃２４から送信された通信開始要求や通信条件変更要求等から、当該通信条件情報を取得するように構成されている。
【００３２】
ここで、通信条件情報には、移動端末ＭＴ＃１１乃至＃２４において動作しているアプリケーションＩＤ（又は、当該アプリケーションによって設定されている許容遅延時間及び要求伝送速度）や、送信元移動端末及び送信先移動端末等の情報が含まれている。
【００３３】
端末能力情報取得部１３は、複数の移動端末ＭＴ＃１１乃至＃２４の能力を示す端末能力情報を取得するように構成されている。例えば、端末能力情報取得部１３は、移動端末ＭＴ＃１１乃至＃２４がアドホックネットワーク＃１及び＃２に参加した場合に、当該移動端末ＭＴ＃１１乃至＃２４の能力を示す端末能力情報を取得するように構成されている。
【００３４】
ここで、端末能力情報には、移動端末ＭＴ＃１１乃至＃２４における最大許容送信電力や、バッテリ残量や、対応可能な通信方式等の情報が含まれている。なお、端末能力情報は、かかる情報によって分類された端末能力クラスを示すものであってもよい。
【００３５】
トラフィック状況取得部１４は、複数の移動端末ＭＴ＃１１乃至＃２４におけるトラフィック状況を取得するように構成されている。例えば、トラフィック状況取得部１４は、所定タイミングで移動端末ＭＴ＃１１乃至＃２４に対してトラフィック状況取得要求を送信することによって移動端末ＭＴ＃１１乃至＃２４におけるトラフィック状況を取得するように構成されていてもよいし、移動端末ＭＴ＃１１乃至＃２４から所定タイミングで送信されてくる移動端末ＭＴ＃１１乃至＃２４におけるトラフィック状況を取得するように構成されていてもよい。
【００３６】
なお、トラフィック状況には、移動端末ＭＴ＃１１乃至＃２４において実際に送信されたトラフィック量（パケットデータ量やパケット数等）や、移動端末ＭＴ＃１１乃至＃２４において実際に受信されたトラフィック量や、移動端末ＭＴ＃１１乃至＃２４の送信バッファに蓄積されているトラフィック量等が含まれる。
【００３７】
ネットワーク管理情報記憶部１５は、位置情報取得部１１によって取得された複数の移動端末の位置情報や、通信条件情報取得部１２によって取得された通信条件情報や、端末能力情報取得部１３によって取得された端末能力情報や、トラフィック状況取得部１４によって取得されたトラフィック状況等を含むネットワーク管理情報を記憶するように構成されている。
【００３８】
なお、ネットワーク管理情報記憶部１５は、アドホックネットワークにおけるトラフィック分布として、位置情報取得部１１によって取得された複数の移動端末の位置情報や、トラフィック状況取得部１４によって取得されたトラフィック状況等を管理している。
【００３９】
例えば、ネットワーク管理情報記憶部１５は、図３（ａ）乃至（ｃ）に示すテーブルを用いて、ネットワーク管理情報を記憶するように構成されている。
【００４０】
図３（ａ）に示すテーブルは、「移動端末ＩＤ」と、当該移動端末ＩＤによって識別される移動端末の「位置情報」と、当該移動端末ＩＤによって識別される移動端末の「端末能力情報」とを関連付けるレコードを記憶するものである。図３（ａ）の例では、移動端末ＭＴ＃１１は、（Ｘ１１，Ｙ１１）の座標位置に存在し、「端末能力クラスＡ１１」の能力を具備することがわかる。
【００４１】
図３（ｂ）に示すテーブルは、所定の通信を識別する「通信ＩＤ」と、当該通信において用いられているアプリケーションを識別する「アプリケーションＩＤ」と、当該通信における送信元移動端末を示す「送信元」と、当該通信における送信先移動端末を示す「送信先」と、当該アプリケーションによって設定されている「要求伝送速度」や「許容遅延時間」とを関連付けるレコードを記憶するものである。図３（ｂ）の例では、「アプリケーションＩＤ＝ＡＰ１」のアプリケーションを用いて送信元移動端末ＭＴ＃１１と送信先移動端末ＭＴ＃２４との間で行われている「通信ＩＤ＝Ｃｏｍ１」の通信が行われていることが分かる（ここで、要求伝送速度は「６４ｋｂｐｓ」で許容遅延時間は「１０ｍｓ」である）。
【００４２】
図３（ｃ）に示すテーブルは、所定の通信を識別する「通信ＩＤ」と、当該通信において移動端末が用いる送信電力を示す「送信電力」と、当該通信における「トラフィック量」と、当該通信における「伝送時間」とを関連付けるテーブルを記憶するものである。図３（ｃ）の例では、「通信ＩＤ＝Ｃｏｍ１」の通信を行っている移動端末ＭＴ＃１１の送信電力は「Ｐｏｗｅｒ１」であり、そのトラフィック量は「Ｔｒａｆｆｉｃ１」であり、その伝送時間は「Ｔｉｍｅ１」である。
【００４３】
送信電力決定部１６は、ネットワーク管理情報記憶部１５に記憶されているネットワーク管理情報に基づいて、当該アドホックネットワークに参加している所定の移動端末ＭＴの送信電力を決定するように構成されている。
【００４４】
すなわち、送信電力決定部１６は、アドホックネットワークにおけるトラフィック分布や、通信条件情報や、端末能力情報等に基づいて、各移動端末ＭＴ＃１１乃至＃２４の送信電力を決定するように構成されている。
【００４５】
具体的には、また、送信電力決定部１６は、トラフィック分布を考慮して、所定の通信において要求されている通信条件を満たすように、各移動端末ＭＴ＃１１乃至＃２４の送信電力を決定するように構成されている。かかる場合、送信電力決定部１６は、所定の移動端末の能力を超えた送信電力を設定しないように構成されている。
【００４６】
例えば、図４に示すように、移動端末ＭＴ＃１１が、送信電力「Ｐｏｗｅｒ１」を用いれば移動端末ＭＴ＃１２と直接通信を行うことができ、送信電力「Ｐｏｗｅｒ２」を用いれば移動端末ＭＴ＃１３と直接通信を行うことができ、送信電力「Ｐｏｗｅｒ３」を用いれば移動端末ＭＴ＃１４と直接通信を行うことができるケースを想定する（「Ｐｏｗｅｒ１」＜「Ｐｏｗｅｒ２」＜「Ｐｏｗｅｒ３」）。
【００４７】
かかる場合、移動端末ＭＴ＃１１は、送信電力「Ｐｏｗｅｒ１」を用いた場合、移動端末ＭＴ＃１３宛ての通信において経由する無線リンクの数（ホップ数）は「３」となり、送信電力「Ｐｏｗｅｒ２」を用いた場合、移動端末ＭＴ＃１３宛ての通信において経由する無線リンクの数（ホップ数）は「２」となり、送信電力「Ｐｏｗｅｒ３」を用いた場合、移動端末ＭＴ＃１３宛ての通信において経由する無線リンクの数（ホップ数）は「１」となる。
【００４８】
ただし、送信電力が大きくなれば、当該通信におけるホップ数は減るが、他の移動端末の通信に対する干渉が大きくなるため、アドホックネットワーク全体におけるスループットは低減する。
【００４９】
したがって、送信電力決定部１６は、このような点に鑑みて、アドホックネットワーク全体におけるスループット及び各移動端末同士の通信における遅延時間を考慮して、各移動端末における送信電力を決定するように構成されている。
【００５０】
ここで、送信電力決定部１６は、各アドホックネットワークにおける通信環境を把握しているため、ある座標位置に存在する移動端末同士の通信が特定の送信電力で実現可能かについて把握しているものとする。
【００５１】
また、送信電力決定部１６は、通信相手ごとに、所定の移動端末の送信電力を決定するように構成されていてもよい。例えば、送信電力決定部１６は、移動端末ＭＴ＃１１に対して、移動端末ＭＴ＃２４宛ての通信には送信電力「Ｐｏｗｅｒ１」を用い、移動端末ＭＴ＃２１宛ての通信には送信電力「Ｐｏｗｅｒ２」を用いるように決定してもよい。
【００５２】
また、送信電力決定部１６は、移動端末ＭＴの送信電力として、アダプティブアンテナアレイ構成を具備する移動端末ＭＴにおけるアンテナゲインを決定するように構成されていてもよい。
【００５３】
送信電力情報送信部１７は、所定に移動端末ＭＴに対して、送信電力決定部１６によって決定された送信電力を指示するための送信電力情報を送信するように構成されている。
【００５４】
なお、送信電力情報送信部１７は、アドホックネットワーク＃１及び＃２における全ての移動端末ＭＴ＃１１乃至＃２４に対して送信電力情報を送信するように構成されていてもよいし、送信電力が変更となる一部の移動端末に対してのみ送信電力情報を送信するように構成されていてもよい。
【００５５】
本実施形態にかかる移動端末ＭＴは、アドホックネットワーク＃１及び＃２に参加可能に構成されており、また、アシストネットワーク内のアシスト制御装置１０と接続可能に構成されている。移動端末ＭＴ＃１１乃至＃２４の構成は基本的に同一であるので、以下、移動端末ＭＴ＃１１の構成について代表して説明する。
【００５６】
本実施形態にかかる移動端末ＭＴ＃１１は、図５に示すように、位置情報送信部３１と、アプリケーション３２と、通信条件情報送信部３３と、端末能力情報送信部３４と、トラフィック状況送信部３５と、パケット受信部３６と、バッファ３７と、パケット送信部３８と、送信電力情報受信部３９とを具備している。
【００５７】
位置情報送信部３１は、所定のタイミングで、移動端末ＭＴ＃１１の位置情報をアシスト制御装置１０に送信するように構成されている。例えば、位置情報送信部３１は、ハンドオーバーによって接続先の基地局が変更になった場合や、ＧＰＳ情報によって所定範囲を超えた移動を検出した場合や、無線リンクを確立しているアクセスポイントが変更になった場合等に、移動端末ＭＴ＃１１の位置情報を送信するように構成されている。
【００５８】
アプリケーション３２は、移動端末ＭＴ＃１１上で動作しているアプリケーションであって、例えば、インターネット接続用アプリケーション等が該当する。
【００５９】
通信条件情報送信部３３は、所定のタイミングで、アプリケーション３２によって設定されている要求伝送速度や許容遅延時間等を含む通信条件情報をアシスト制御装置１０に送信するように構成されている。
【００６０】
端末能力情報送信部３４は、所定のタイミングで、上述の端末能力情報をアシスト制御装置１０に送信するように構成されている。
【００６１】
トラフィック状況送信部３５は、パケット受信部３６やバッファ３７やパケット送信部３８を監視することによって取得したトラフィック状況（送信済トラフィック量や受信済トラフィック量や送信待ちトラフィック量や輻輳状況等）を、所定のタイミングで、アシスト制御装置１０に送信するように構成されている。
【００６２】
パケット受信部３６は、転送元移動端末ＭＴから送信されたパケットを受信し、バッファ３７に一時的に格納するように構成されている。パケット送信部３８は、送信電力情報受信部３９によって受信された送信電力情報に対応する送信電力で、バッファ３７に格納されているパケットを送信するように構成されている。
【００６３】
（本発明の第１の実施形態に係る移動通信システムの動作）
図６を参照して、本発明の第１の実施形態に係る移動通信システムの動作について説明する。
【００６４】
ステップＳ１０１において、アドホックネットワーク＃１及び＃２に属する移動端末ＭＴ＃１１乃至＃２４が、各移動端末ＭＴ＃１１乃至＃２４における位置情報やトラフィック状況や端末能力情報を、アシスト制御装置１０に送信する。
【００６５】
ステップＳ１０２において、アシスト制御装置１０は、受信した各移動端末ＭＴ＃１１乃至＃２４における位置情報やトラフィック状況や端末能力情報に基づいて、ネットワーク管理情報を更新する。
【００６６】
ステップＳ１０３において、移動端末ＭＴ＃１１は、移動端末ＭＴ＃２４宛ての通信開始要求を送信する。
【００６７】
ステップＳ１０４において、アシスト制御装置１０は、受信した通信開始要求に含まれる通信条件情報及び記憶しているネットワーク管理情報に基づいて、アドホックネットワーク全体におけるスループット及び移動端末ＭＴ＃１１、＃２４同士の通信における許容遅延時間を考慮して、アドホックネットワーク＃１及び＃２内の所定の移動端末ＭＴ＃１１、＃１３、＃２１、＃２３の送信電力を決定する。
【００６８】
すなわち、アシスト制御装置１０は、かかる通信開始要求に係る通信におけるパケット転送ルートを、送信元移動端末ＭＴ＃１１から、中継移動端末ＭＴ＃１３、＃２１、＃２３を介して送信先移動端末ＭＴ＃２４に到達するルートと決定する。
【００６９】
ステップＳ１０５において、アシスト制御装置１０は、決定した送信電力を示す送信電力情報を、移動端末ＭＴ＃１１、１３、＃２１、＃２３に対して送信する。
【００７０】
ステップＳ１０６において、送信元移動端末ＭＴ＃１１は、アシスト制御装置１０から受信した送信電力情報に対応する送信電力で送信先移動端末ＭＴ＃２４宛てのパケットを送信し、ステップＳ１０７において、送信元移動端末ＭＴ＃１１から送信されたパケットを受信した中継移動端末ＭＴ＃１３は、アシスト制御装置１０から受信した送信電力情報に対応する送信電力で送信先移動端末ＭＴ＃２４宛てのパケットを中継し、ステップＳ１０８において、中継移動端末ＭＴ＃１３によって中継されたパケットを受信した中継移動端末ＭＴ＃２１は、アシスト制御装置１０から受信した送信電力情報に対応する送信電力で送信先移動端末ＭＴ＃２４宛てのパケットを中継し、ステップＳ１０９において、中継移動端末ＭＴ＃２１によって中継されたパケットを受信した中継移動端末ＭＴ＃２３は、アシスト制御装置１０から受信した送信電力情報に対応する送信電力で送信先移動端末ＭＴ＃２４宛てのパケットを中継する。
【００７１】
その結果、送信元移動端末ＭＴ＃１１から送信されたパケットは、４ホップで送信先移動端末ＭＴ＃２４に到着する。
【００７２】
（本発明の第１の実施形態に係る移動通信システムの作用・効果）
本実施形態に係る移動通信システムによれば、アドホックネットワーク＃１及び＃２において刻々と変化するトラフィック分布（各移動端末ＭＴ＃１１乃至＃２４）における位置情報やトラフィック状況に基づいて、アドホックネットワーク＃１乃至＃２に参加している所定の移動端末ＭＴ＃１１乃至＃２４の送信電力を決定することによって、アドホックネットワーク＃１及び＃２全体におけるスループット及び移動端末同士の通信における遅延時間の双方において最適化な環境を実現することができる。
【００７３】
本実施形態に係る移動通信システムによれば、アシスト制御装置１０が、移動端末ＭＴ＃１１乃至＃２４から位置情報及びトラヒック状況を取得することによって、移動端末ＭＴ＃１１乃至＃２４の位置分布や各移動端末ＭＴ＃１１乃至＃２４におけるトラフィック状況からなるトラフィック分布をリアルタイムに把握することができる。
【００７４】
本実施形態に係る移動通信システムによれば、アシスト制御装置１０は、各移動端末ＭＴ＃１１乃至＃２４の能力に応じた送信電力を決定することができ、ハードウエアリソースや無線帯域リソース等を有効に利用することができる。
【００７５】
本実施形態に係る移動通信システムによれば、アドホックネットワーク＃１及び＃２内のトラフィック分布を考慮しつつ、各移動端末ＭＴ＃１１乃至＃２４において要求されている通信条件を満たすように各移動端末ＭＴ＃１１乃至＃２４の送信電力を決定することができる。
【００７６】
（本発明の第２の実施形態）
図７乃至図９を参照して、本発明の第２の実施形態に係る移動通信システムについて説明する。以下、上述の第１の実施形態に係る移動通信システムとの相違点を主として、本発明の第２の実施形態に係る移動通信システムについて説明する。
【００７７】
本実施形態では、各移動端末ＭＴ＃１１乃至＃１４とアシスト制御装置１０との間のコネクションが切断されている状況において、アドホックネットワーク＃１に属する移動端末ＭＴ＃１１乃至＃１４のうち、アシスト制御装置１０の代わりに、アドホックネットワーク＃１における通信制御を行うことができる代表移動端末ＭＴ（例えば、移動端末＃１４）の構成について説明する。
【００７８】
本実施形態に係るアシスト制御装置１０は、図７に示すように、通信環境情報取得部２１と、孤立タイミング予測部２２と、事前アシスト処理部２３と、コネクション管理部２４と、事後アシスト処理部２５と、アシスト処理部２６とを具備している。
【００７９】
通信環境取得部２１は、アドホックネットワーク＃１及び＃２に属する移動端末ＭＴ＃１１乃至ＭＴ＃２４から、当該移動端末ＭＴ＃１１乃至ＭＴ＃２４における通信環境を示す通信環境情報を取得するように構成されている。
【００８０】
通信環境取得部２１は、通信環境情報として、当該移動端末ＭＴ＃１１乃至ＭＴ＃２４における電波状況を取得するように構成されている。電波状況としては、当該移動端末ＭＴ＃１１乃至ＭＴ＃２４における受信電力や受信ＳＩＲや受信ＣＩＲ等が挙げられる。なお、通信環境取得部２１は、当該移動端末ＭＴ＃１１乃至ＭＴ＃２４における通信環境を示す情報であれば、電波状況以外の情報を、通信環境情報として取得するように構成されていてもよい。
【００８１】
また、通信環境取得部２１は、移動端末ＭＴ＃１１乃至ＭＴ＃２４から送信されるのを待って通信環境情報を取得するように構成されていてもよいし、所定のタイミングで移動端末ＭＴ＃１１乃至ＭＴ＃２４に対して通信環境情報取得要求を送信することによって通信環境情報を取得するように構成されていてもよい。
【００８２】
孤立タイミング予測部２２は、取得した通信環境情報が所定条件を満たすか否かについて判断するように構成されている。具体的には、孤立タイミング予測部２２は、取得した通信環境情報が所定条件を満たす場合、もうすぐアシスト制御装置１０と移動端末ＭＴ＃１１乃至ＭＴ＃１４との間のコネクションが切断される（すなわち、もうすぐ移動端末ＭＴ＃１１乃至ＭＴ＃１４によって形成されているアドホックネットワーク＃１が孤立する）と予測するように構成されている。
【００８３】
例えば、孤立タイミング予測部２２は、移動端末ＭＴ＃１１乃至ＭＴ＃１４における受信電力や受信ＳＩＲや受信ＣＩＲの平均値が所定の閾値以下となった場合等に、取得した通信環境情報が所定条件を満たすと判断する。
【００８４】
また、孤立タイミング予測部２２は、所定条件を複数準備しておき、取得した通信環境情報が満たす所定条件に基づいて、移動端末ＭＴ＃１１乃至ＭＴ＃２４によって形成されているアドホックネットワーク＃１及び＃２が孤立するタイミングを予測するように構成されていてもよい。
【００８５】
例えば、孤立タイミング予測部２２は、移動端末ＭＴ＃１１乃至ＭＴ＃２４における受信電力や受信ＳＩＲや受信ＣＩＲの平均値が第１の閾値以下となった場合、１０秒後にアシスト制御装置１０と移動端末ＭＴ＃１１乃至ＭＴ＃２４との間のコネクションが切断される（すなわち、孤立タイミングは１０秒後である）と予測し、移動端末ＭＴ＃１１乃至ＭＴ＃２４における受信電力や受信ＳＩＲや受信ＣＩＲの平均値が第２の閾値（第１の閾値＞第２の閾値）以下となった場合、１秒後にアシスト制御装置１０と移動端末ＭＴ＃１１乃至ＭＴ＃２４との間のコネクションが切断される（すなわち、孤立タイミングは１秒後である）と予測する。
【００８６】
事前アシスト処理部２３は、孤立タイミング予測部２２による判断結果に基づいて、アドホックネットワーク＃１に属する代表移動端末（例えば、移動端末ＭＴ＃１４）に対して、アシスト制御装置１０のアシスト処理部２６の代わりに、アドホックネットワークにおける通信制御を行うように指示するものである。
【００８７】
具体的には、事前アシスト処理部２３は、アドホックネットワーク＃１に属する代表移動端末ＭＴ＃１４に対して、アシスト制御装置１０のアシスト処理部２６の代わりに、アドホックネットワーク内における通信制御を行うための代理制御情報を送信する。
【００８８】
例えば、代理制御情報には、もうすぐアシスト制御装置１０と移動端末ＭＴ＃１１乃至＃１４との間のコネクションが切断される（すなわち、もうすぐ当該移動端末ＭＴ＃１１乃至ＭＴ＃１４によって形成されているアドホックネットワーク＃１が孤立する）と予測した旨や、孤立タイミングや、アドホックネットワーク＃１内における通信制御を行うのに必要なプログラムやデータ（例えば、ネットワーク管理情報等）等が含まれる。
【００８９】
また、事前アシスト処理部２３は、孤立タイミング予測部２２によって予測された孤立タイミングに基づいて、上述の代理制御情報を送信するタイミングを調整するように構成されていてもよい。
【００９０】
また、事前アシスト処理部２３は、１つの代表移動端末ＭＴ＃１４に対して上述の代理制御情報を送信するのではなく、複数の代表移動端末に対して上述の代理制御情報を送信することによって、アシスト制御装置１０のアシスト処理部２６の代わりに、アドホックネットワーク＃１における通信制御を行うように指示してもよい。
【００９１】
コネクション管理部２４は、アドホックネットワーク＃１及び＃２を形成する移動端末ＭＴ＃１１乃至ＭＴ＃２３とアシスト制御装置１０との間のコネクションを管理するように構成されている。コネクション管理部２４は、かかるコネクションの復旧を検出した場合、その旨を事後アシスト処理部２５に通知するように構成されている。
【００９２】
事後アシスト処理部２５は、アドホックネットワーク＃１及び＃２に属する移動端末ＭＴ＃１１乃至ＭＴ＃２４とアシスト制御装置１０との間のコネクションが復旧した場合に、代表移動端末ＭＴ＃１４がアシスト制御装置１０のアシスト処理部２６の代わりに行った通信制御に係る事後処理を行うように構成されている。
【００９３】
具体的には、事後アシスト処理部２５は、アドホックネットワーク＃１及び＃２に属する移動端末ＭＴ＃１１乃至ＭＴ＃２４とアシスト制御装置１０との間のコネクションが復旧した場合に、代表移動端末ＭＴ＃１４がアシスト制御装置１０のアシスト処理部２６の代わりに行った通信制御結果（例えば、ネットワーク管理情報の更新情報）を受信するように構成されている。
【００９４】
そして、事後アシスト処理部２５は、受信した通信制御結果に基づいて、アシスト処理部２６が、当該アドホックネットワークにおける通信制御を再開するための処理を行う。
【００９５】
アシスト処理部２６は、アドホックネットワーク＃１及び＃２における通信制御を行うように構成されている。すなわち、アシスト処理部２６は、位置情報取得部１１と通信条件情報取得部１２と端末能力情報取得部１３とトラフィック状況取得部１４とネットワーク管理情報記憶部１５と送信電力決定部１６の機能を実現するように構成されている（図２参照）。
【００９６】
また、本実施形態にかかる移動端末ＭＴ＃１１は、図８に示すように、図５に示す構成に加えて、アシストネットワークインターフェイス（Ｉ/Ｆ）５１と、アドホックネットワークインターフェイス（Ｉ/Ｆ）５２と、通信環境情報監視部５３と、アシスト処理部５４とを具備している。
【００９７】
アシストネットワークインターフェイス５１は、アシストネットワークとの間のインターフェイスの役割を果たすように構成されている。
【００９８】
例えば、アシストネットワークインターフェイス５１は、所定のタイミングで、アシスト制御装置１０に対して、通信環境情報監視部５３によって生成された当該移動端末ＭＴ＃１４における通信環境を示す通信環境情報を送信するように構成されている。
【００９９】
また、アシストネットワークインターフェイス５１は、アシスト制御装置１０から代理制御情報を受信して、受信した代理制御情報をアシスト処理部５４に転送するように構成されている。
【０１００】
また、アシストネットワークインターフェイス５１は、移動端末ＭＴ＃１４とアシスト制御装置１０との間のコネクションを管理しており、かかるコネクションが切断された場合、及び、かかるコネクションがもうすぐ切断されそうであると判断した場合、その旨をアシスト処理部５４に通知するように構成されている。
【０１０１】
アドホックネットワークインターフェイス５２は、アドホックネットワークとの間のインターフェイスの役割を果たすように構成されている。
【０１０２】
アドホックネットワークインターフェイス５２は、アドホックネットワーク＃１及び＃２に属する他の移動端末ＭＴ＃１１乃至＃２４との間で直接通信を行うことによって、所定の情報を送受信するように構成されている。
【０１０３】
例えば、アシスト処理部５４が、アシスト制御装置１０のアシスト処理部２６の代わりに、アドホックネットワーク＃１における通信制御を行っている期間、アドホックネットワークインターフェイス５２は、アドホックネットワーク＃１に属する他の移動端末ＭＴ＃１１乃至＃１３から、位置情報やトラフィック状況や通信条件情報や端末能力情報等のネットワーク管理情報の基礎となる情報を取得し、決定された各移動端末ＭＴ＃１１乃至＃１３の送信電力を示す送信電力情報を送信するように構成されている。
【０１０４】
通信環境情報監視部５３は、移動端末ＭＴ＃１４における通信環境を監視することによって、通信環境情報を生成するように構成されている。例えば、通信環境情報監視部５３は、移動端末ＭＴ＃１４における電波状況（例えば、当該移動端末ＭＴにおける受信電力や受信ＳＩＲや受信ＣＩＲ等）を示す通信環境情報を生成するように構成されている。
【０１０５】
なお、通信環境情報監視部５３は、移動端末ＭＴ＃１４における通信環境を示す情報であれば、電波状況以外の情報を含む通信環境情報を生成するように構成されていてもよい。
【０１０６】
アシスト処理部５４は、遅くとも移動端末ＭＴ＃１４とアシスト制御装置１０との間のコネクションが切断された場合には、アシストネットワークインターフェイス５１を介して受信した代理制御情報に基づいて、アシスト制御装置１０のアシスト処理部２６の代わりに、アドホックネットワーク＃１に属する他の移動端末ＭＴ＃１１乃至＃１３における通信制御を行うように構成されている。
【０１０７】
すなわち、かかる場合、アシスト処理部５４は、位置情報取得部１１と通信条件情報取得部１２と端末能力情報取得部１３とトラフィック状況取得部１４とネットワーク管理情報記憶部１５と送信電力決定部１６と送信電力情報送信部１７の機能を実現するように構成されている（図２参照）。
【０１０８】
なお、アシスト処理部５４は、遅くとも上述のコネクションが切断された場合に、上述の通信制御を行うように構成されていればよく、上述の代理制御情報を受信してから所定期間経過後に、上述の通信制御を行うように構成されていてもよい。
【０１０９】
また、アシスト処理部５４は、移動端末ＭＴ＃１４とアシスト制御装置１０との間のコネクションが復旧した場合に、アシストネットワークインターフェイス５１を介して、アシスト制御装置１０に対して、アシスト制御装置１０のアシスト処理部２６の代わりに行った通信制御結果（例えば、ネットワーク管理情報等）を送信するように構成されている。
【０１１０】
図９を参照して、本実施形態に係る移動通信システムにおいて、アドホックネットワーク＃１及び＃２におけるトポロジーが、アシスト制御装置１０によって制御されている状態から、アドホックネットワーク＃１におけるトポロジーが、代表移動端末ＭＴ＃１４によって自律的に制御され、アドホックネットワーク＃２におけるトポロジーが、代表移動端末ＭＴ＃２２によって自律的に制御される状態に遷移する動作の一例について説明する。
【０１１１】
図９に示すように、ステップＳ２０１において、アシスト制御装置１０と移動端末ＭＴ＃１１、＃１２、＃１３、＃１４、＃２１、＃２２、＃２３、＃２４との間でコネクションが接続されている。そして、各移動端末ＭＴ＃１１、＃１２、＃１３、＃１４、＃２１、＃２２、＃２３、＃２４が、所定のタイミングで、アシスト制御装置１０に対して、通信環境情報を送信する。
【０１１２】
ステップＳ２０２において、アシスト制御装置１０の孤立タイミング予測部２２は、通信環境情報が所定条件を満たすため、もうすぐアシスト制御装置１０とアドホックネットワーク＃１を形成する移動端末ＭＴ＃１１、＃１２、＃１３、＃１４との間のコネクションが切断され（すなわち、もうすぐ各移動端末ＭＴ＃１１、＃１２、＃１３、＃１４によって形成されているアドホックネットワーク＃１が孤立する）、かつ、もうすぐアシスト制御装置１０とアドホックネットワーク＃２を形成する移動端末ＭＴ＃２１、＃２２、＃２３、＃２４との間のコネクションが切断される（すなわち、もうすぐ各移動端末ＭＴ＃２１、＃２２、＃２３、＃２４によって形成されているアドホックネットワーク＃２が孤立する）と予測する。
【０１１３】
ステップＳ２０３において、アシスト制御装置１０の事前アシスト処理部２３は、アドホックネットワーク＃１における代表移動端末ＭＴ＃１４及びアドホックネットワーク＃２における代表移動端末ＭＴ＃２２に対して、代理制御情報（ネットワーク管理情報を含む）を送信する。
【０１１４】
ステップＳ２０４ａにおいて、代表移動端末ＭＴ＃１４が、受信した代理制御情報に基づいて、アシスト制御装置１０の代わりにアドホックネットワーク＃１における通信制御を行う旨を、アドホックネットワーク＃１内の移動端末ＭＴ＃１１、＃１２、＃１３に通知する。
【０１１５】
また、ステップＳ２０４ｂにおいて、代表移動端末ＭＴ＃２２が、受信した代理制御情報に基づいて、アシスト制御装置１０の代わりにアドホックネットワーク＃２における通信制御を行う旨を、アドホックネットワーク＃２内の移動端末ＭＴ＃２１、＃２３、＃２４に通知する。
【０１１６】
ステップＳ２０５ａにおいて、移動端末ＭＴ＃１１、＃１２、＃１３が、移動端末ＭＴ＃１１、＃１２、＃１３における位置情報やトラフィック状況や端末能力情報を、代表移動端末ＭＴ＃１４に対して報告する。
【０１１７】
また、ステップＳ２０５ｂにおいて、移動端末ＭＴ＃２１、＃２３、＃２４が、移動端末ＭＴ＃２１、＃２３、＃２４における位置情報やトラフィック状況や端末能力情報を、代表移動端末ＭＴ＃２２に対して報告する。
【０１１８】
ステップＳ２０６ａにおいて、移動端末ＭＴ＃１１は、代表移動端末ＭＴ＃１４に対して、移動端末ＭＴ＃２４宛ての通信開始要求（通信条件情報を含む）を送信する。
【０１１９】
ステップＳ２０６ｂにおいて、代表移動端末ＭＴ＃１４は、移動端末ＭＴ＃１１から受信した通信開始要求を、アドホックネットワーク＃２における代表移動端末ＭＴ＃２２に対して転送する。
【０１２０】
ステップＳ２０７ａにおいて、代表移動端末ＭＴ＃１４が、受信した通信開始要求に含まれる通信条件情報及び記憶しているネットワーク管理情報に基づいて、アドホックネットワーク＃１全体におけるスループット及び移動端末ＭＴ＃１１、＃２４同士の通信における許容遅延時間を考慮して、アドホックネットワーク＃１内の所定の移動端末ＭＴ＃１１、＃１３の送信電力を決定する。
【０１２１】
すなわち、代表移動端末ＭＴ＃１４は、かかる通信開始要求に係る通信におけるアドホックネットワーク＃１内のパケット転送ルートを、送信元移動端末ＭＴ＃１１から中継移動端末ＭＴ＃１３を介してアドホックネットワーク＃２に転送されるルートと決定する。
【０１２２】
一方、ステップＳ２０７ｂにおいて、代表移動端末ＭＴ＃２２は、受信した通信開始要求に含まれる通信条件情報及び記憶しているネットワーク管理情報に基づいて、アドホックネットワーク＃２全体におけるスループット及び移動端末ＭＴ＃１１、＃２４同士の通信における許容遅延時間を考慮して、アドホックネットワーク＃２内の所定の移動端末ＭＴ＃２１、＃２３の送信電力を決定する。
【０１２３】
すなわち、代表移動端末ＭＴ＃２２は、かかる通信開始要求に係る通信におけるアドホックネットワーク＃２内のパケット転送ルートを、中継移動端末ＭＴ＃２１から中継移動端末ＭＴ＃２３を介して送信先移動端末ＭＴ＃２４に到達するルートと決定する。
【０１２４】
ステップＳ２０８ａにおいて、代表移動端末ＭＴ＃１４は、決定した送信電力を示す送信電力情報を、移動端末ＭＴ＃１１、１３に対して送信する。また、ステップＳ２０８ｂにおいて、代表移動端末ＭＴ＃２２は、決定した送信電力を示す送信電力情報を、移動端末ＭＴ＃２１、＃２３に対して送信する。
【０１２５】
ステップＳ２０９において、送信元移動端末ＭＴ＃１１は、代表移動端末ＭＴ＃１４から受信した送信電力情報に対応する送信電力で送信先移動端末ＭＴ＃２４宛てのパケットを送信し、ステップＳ２１０において、送信元移動端末ＭＴ＃１１から送信されたパケットを受信した中継移動端末ＭＴ＃１３は、代表移動端末ＭＴ＃１４から受信した送信電力情報に対応する送信電力で送信先移動端末ＭＴ＃２４宛てのパケットを中継し、ステップＳ２１１において、中継移動端末ＭＴ＃１３によって中継されたパケットを受信した中継移動端末ＭＴ＃２１は、代表移動端末ＭＴ＃２２から受信した送信電力情報に対応する送信電力で送信先移動端末ＭＴ＃２４宛てのパケットを中継し、ステップＳ２１２において、中継移動端末ＭＴ＃２１によって中継されたパケットを受信した中継移動端末ＭＴ＃２３は、代表移動端末ＭＴ＃２２から受信した送信電力情報に対応する送信電力で送信先移動端末ＭＴ＃２４宛てのパケットを中継する。
【０１２６】
その結果、送信元移動端末ＭＴ＃１１から送信されたパケットは、４ホップで送信先移動端末ＭＴ＃２４に到着する。
【０１２７】
ステップＳ２２０において、移動端末ＭＴ＃１１、＃１２、＃１３、＃１４とアシスト制御装置１０との間のコネクション、及び、移動端末ＭＴ＃２１、＃２２、＃２３、＃２４とアシスト制御装置１０との間のコネクションが復旧すると、ステップＳ２２１において、代表移動端末ＭＴ＃１４及び代表移動端末ＭＴ＃２２は、その旨を検出して、アシスト制御装置１０の代わりに行った通信制御結果（例えば、ネットワーク管理情報の更新情報）を、アシスト制御装置１０に送信する。
【０１２８】
その後、アシスト制御装置１０の事後アシスト処理部２５は、受信した通信制御結果に基づいて、移動端末ＭＴ＃１１、＃１２、＃１３、＃１４とアシスト制御装置１０との間のコネクション、及び、移動端末ＭＴ＃２１、＃２２、＃２３、＃２４とアシスト制御装置１０との間のコネクションが切断されていた期間中の制御状態（例えば、変更されたネットワーク管理情報等）を引き継いだ後、アシスト制御装置１０のアシスト処理部２６が、アドホックネットワーク＃１及び＃２内における通信制御を再開する。
【０１２９】
本発明の第２の実施形態に係る移動通信システムによれば、アシスト制御装置１０の事前アシスト処理部２３が、所定条件を満たす場合（例えば、アシスト制御装置１０と移動端末ＭＴ＃１１、＃１２、＃１３、＃１４との間の電波状況、及び、アシスト制御装置１０と移動端末ＭＴ＃２１、＃２２、＃２３、＃２４との間の電波状況が悪くなってきた場合）であっても、代表移動端末ＭＴ＃１４及び代表移動端末ＭＴ＃２２に対して代理制御情報（ネットワーク管理情報）を送信することによって、代表移動端末ＭＴ＃１４及び代表移動端末ＭＴ＃２２が、アシスト制御装置１０から送信された代理制御情報を用いて、アシスト制御装置１０の代わりに、アドホックネットワーク＃１及び＃２における通信制御を行うことができる。
【０１３０】
本発明の第２の実施形態に係る移動通信システムによれば、アシスト制御装置１０は、代表移動端末ＭＴ＃１４及び代表移動端末ＭＴ＃２２による通信制御結果（変更されたネットワーク管理情報等）を用いて、迅速かつ容易に、アドホックネットワーク＃１及び＃２における通信制御を再開することができる。
【０１３１】
したがって、本発明の第２の実施形態に係る移動通信システムによれば、アシスト制御装置１０とアドホックネットワーク＃１との間の通信、及び、アシスト制御装置１０とアドホックネットワーク＃２との間の通信が切断されて、アドホックネットワーク＃１及び＃２が孤立している場合であっても、代理移動端末ＭＴ＃１４及び代表移動端末ＭＴ＃２２がアシスト制御装置１０の機能を果たすため、途切れることなくアドホックネットワークに＃１及び＃２における通信制御を行うことができる。
【図面の簡単な説明】
【０１３２】
【図１】本発明の第１及び第２の実施形態に係る移動通信システムの全体構成図である。
【図２】本発明の第１の実施形態に係る移動通信システムのアシスト制御装置の機能ブロック図である。
【図３】本発明の第１の実施形態に係る移動通信システムのアシスト制御装置のネットワーク管理情報記憶部による記憶内容の一例を示す図である。
【図４】本発明の第１の実施形態に係る移動通信システムのアシスト制御装置の送信電力決定部部が送信電力を決定する様子を説明するための図である。
【図５】本発明の第１の実施形態に係る移動通信システムの移動端末の機能ブロック図である。
【図６】本発明の第１の実施形態に係る移動通信システムの動作の一例を示すシーケンス図である。
【図７】本発明の第２の実施形態に係る移動通信システムのアシスト制御装置の機能ブロック図である。
【図８】本発明の第２の実施形態に係る移動通信システムの移動端末の機能ブロック図である。
【図９】本発明の第１の実施形態に係る移動通信システムの動作の一例を示すシーケンス図である。
【符号の説明】
【０１３３】
１０…アシスト制御装置
１１…位置情報取得部
１２…通信条件情報取得部
１３…端末能力情報取得部
１４…トラフィック状況取得部
１５…ネットワーク管理情報記憶部
１６…送信電力決定部
１７…送信電力情報送信部
２１…通信環境情報取得部
２２…孤立タイミング予測部
２３…事前アシスト処理部
２４…コネクション管理部
２５…事後アシスト処理部
２６…アシスト処理部
ＭＴ…移動端末
３１…位置情報送信部
３２…アプリケーション
３３…通信条件情報送信部
３４…端末能力情報送信部
３５…トラフィック状況送信部
３６…パケット受信部
３７…バッファ
３８…パケット送信部
３９…送信電力情報受信部
５１…アシストネットワークＩ/Ｆ
５２…アドホックネットワークＩ/Ｆ
５３…通信環境情報監視部
５４…アシスト処理部
【図１】
2006180139.tif 000003
【図２】
2006180139.tif 000004
【図３】
2006180139.tif 000005
【図４】
2006180139.tif 000006
【図５】
2006180139.tif 000007
【図６】
2006180139.tif 000008
【図７】
2006180139.tif 000009
【図８】
2006180139.tif 000010
【図９】
2006180139.tif 000011